(57)【特許請求の範囲】
【請求項１】
左右の中間脚の対向面上部を連結枠により連結するとともに、両中間脚の上面に、前方に突出する天板受けを設け、両天板受けに天板を、後端が天板受けの後端より前方に位置するように載置し、連結枠の後方を覆う後面板を、天板受けの後端部と中間脚の後部とにそれぞれ固着し、さらに後面板の上端部を前方にＬ字状に屈曲した形状とし、その後面板の上端の前方突出部を、天板受けの後端部の上方に係合させたことを特徴とする連結机の机ユニット。
【請求項２】
天板の後端と後面板の上前端の間に、配線ダクトを設けた請求項１記載の連結机の机ユニット。
【請求項３】
後面板の上端面を、天板の上面と等高とした請求項１または２記載の連結机の机ユニット。
【発明の詳細な説明】
【０００１】
【発明の属する技術分野】
本発明は、事務所や会議室等で使用して効果的な、複数の机を側方１列に連結した連結机に関する。
【０００２】
【従来の技術】
事務室や会議室等においては、向かい合う１対の机を、側方に適数対並べて連結した連結机が、しばしば使用される。
【０００３】
図４は、特開平８−１８７１２８号公報に開示された、上記連結机(Ａ)の一例を略示するものである。
【０００４】
互いに対向する前後の机ユニット(１)の両天板(２)(２)は、その対向端部の両側部が、１個の狭幅な中間脚(３)により支持されている。両側端部の前後両机ユニット(１)の天板(２)は、内側端部が中間脚(３)により支持され、外側端部が、中間脚(３)より広幅の側脚(４)により支持されており、側脚(４)の前後の両下端部には、水平脚杆(５)(５)が連設されている。
【０００５】
前後に対向する両天板(２)間には、配線ダクト(６)が形成され、常時はカバー(７)で覆われている。中間脚(３)の側面には配線孔(８)が穿設され、隣接する中間脚(３)(３)同士と各天板(２)(２)同士は、ボルト（図示省略）により連結されている。
【０００６】
【発明が解決しようとする課題】
しかし、上述の連結机は前後幅が広幅なため、狭い部屋には設置困難であり、一方の列の机ユニット(１)を壁面に接して設置すると、その机ユニット(１)が使用不能になってしまう。
【０００７】
一方、このような不都合を解消するため、各机ユニット(１)の一方の天板(２)を取り外して、連結机を形成することが考えられる。
【０００８】
しかし、このように一方の天板(２)を取り外すと、残された天板(２)の突出端部側に重心が移動し、各机ユニット(１)の前後方向のバランスが失われるため、机ユニット(１)に変形等が生じるおそれがある。
【０００９】
本発明は、従来の技術が有する上述のような問題点に鑑みてなされたものであり、一側方にのみ天板が設けられた机ユニットに変形等が生じにくいようにした、連結机の机ユニットを提供することを目的としている。
【００１０】
【課題を解決するための手段】
本発明は、上記課題を次のようにして解決した。
(１)  左右の中間脚の対向面上部を連結枠により連結するとともに、両中間脚の上面に、前方に突出する天板受けを設け、両天板受けに天板を、後端が天板受けの後端より前方に位置するように載置し、連結枠の後方を覆う後面板を、天板受けの後端部と中間脚の後部とにそれぞれ固着し、さらに後面板の上端部を前方にＬ字状に屈曲した形状とし、その後面板の上端の前方突出部を、天板受けの後端部の上方に係合させる。
する。
【００１１】
(２)  上記(１)項において、天板の後端と後面板の上前端の間に、配線ダクトを設ける。
【００１２】
(３)  上記(１)または(２)項において、後面板の上端面を、天板の上面と等高とする。
【００１３】
【発明の実施の形態】
図１〜図３は、本発明の連結机(Ｂ)を示すもので、上記(１)に相当する机ユニット(９)における、上記(３)と同様の縦長方形の隣り合う１対の中間脚(10)の上部は、方形の連結枠(11)により連結され、両中間脚(10)の上面には、前方(図１の左上方)に突出するアングル状の天板受け(12)が、その水平片(12a)を対向させて止めねじ（図示略）をもって固着されている。
【００１４】
両天板受け(12)上には、上記(２)に相当する天板(13)が、その後端を天板受け(12)の後端より前方に位置するように、ねじ(14)をもって固着されている。
【００１５】
両中間脚(10)の後面には、上下方向を向く後面板(15)の両側端部が、ねじ(14)により固着されている。
【００１６】
後面板(15)の上端部に形成された前方突出部(15a)の両側端部は、天板受け(12)の水平片(12a)の後端部の上面に係合し、天板受け(12)と前方突出部(15a)は、ねじ(14)によって固着されている。
【００１７】
前方突出部(15a)の上端面と天板(13)の上面は等高をなしており、天板(13)の後端と後面板(15)の上前端との間には、配線ダクト(16)が形成されている。配線ダクト(16)は、常時はカバー(17)により閉塞されており、中間脚(10)の側面には配線孔(18)が切設されている。
【００１８】
上述のように形成された複数の机ユニット(９)を、側方一列に並べて、隣接する中間脚(３)同士と天板(13)同士を、それぞれボルト（図示省略）により連結し、両側端部の机ユニット(９)の外側面に、上記(４)に相当する、外側面の全面を覆う方形板状の側脚(19)を固着することにより、連結机(Ｂ)が形成されている。
【００１９】
このような連結机では、天板受け(12)の前部に、天板(13)による下向きの荷重が掛かり、天板受け(12)の後端部を浮き上がらせようとするものの、天板受け(12)の後端部の上面と係合する前方突出部(15a)と、前方突出部(15a)と天板受け(12)の固着部とが、天板受け(12)の浮き上がりを阻止するので、各机ユニット(９)に変形が生じることはない。
【００２０】
また、後面と両側面がそれぞれ後面板(15)と側脚(19)に覆われているので、外観が良好である。
また２列の連結机(Ｂ)を、各机ユニット(９)同士を向き合せて密接させて並設すれば、上述の連結机(Ａ)と同様の広面積の机が形成される。
【００２１】
【発明の効果】
本発明によれば、以下の効果を奏することができる。
(ａ) 請求項１記載の発明によれば、天板受けの前部には、天板による下向きの荷重が掛り、天板受けの後端部を浮き上がらせようとするものの、天板受けの後端部に固着された後面板が、天板受けの後端部の浮き上がりを阻止するので、机ユニットに変形が生じるおそれはない。
【００２２】
しかも構成が比較的簡単なため、組立て分解が容易で、移動や輸送が容易であるとともに、安価に製作することができる。
【００２３】
また２列の連結机を対向させて並置すれば、従来の連結机と同様の広面積の机を、容易に形成することができる。
【００２４】
さらに、後面板の前方突出部が、天板受けの後端部に係合し、天板受けの浮き上がりを阻止するので、後面板と天板受けとの固着部の負担が軽減されるようになる。
【００２５】
(ｂ) 請求項２記載の発明によれば、配線ダクトを用いることにより、天板上の各種の電気器機等へ、外観よく容易に配線することができる。
【００２６】
(ｃ) 請求項３記載の発明によれば、後面板の上端面を、天板の上面と等高をなすようにしたので、机ユニットの体裁を向上させることができる。
【図面の簡単な説明】
【図１】  本発明の連結机の要部の分解斜視図である。
【図２】  同じく机ユニットの側面図である。
【図３】  同じく後方斜視図である。
【図４】  従来の連結机の一部分解斜視図である。
【符号の説明】
(Ａ)(Ｂ)連結机
(１)机ユニット
(２)天板
(３)中間脚
(４)側脚
(５)水平脚杆
(６)配線ダクト
(７)カバー
(８)配線孔
(９)机ユニット
(10)中間脚
(11)連結枠
(12)天板受け
(12a)水平片
(13)天板
(14)ねじ
(15)後面板
(15a)前方突出部
(16)配線ダクト
(17)カバー
(18)配線孔
(19)側脚
【図１】
0003782536.tif 000002
【図２】
0003782536.tif 000003
【図３】
0003782536.tif 000004
【図４】
0003782536.tif 000005